(57)【要約】      （修正有）【課題】良い発電効果を達成する導流式無風向性垂直風力装置を提供する。【解決手段】集風と導流特性を拡大できる垂直ファン風力装置で、風力発電機１上方には直立フレーム柱１１、１２、１３、１４を設置し、直立フレーム柱１１、１２、１３、１４中央には複数の弧状ブレード１５を含む垂直式弧状回転ファンを設置し、各直立フレーム柱１１、１２、１３、１４の内の一つの内縁上には内側へと傾斜した弧状導流板１１１、１２１、１３１、１４１を設置し、これによりあらゆる方向から吹いてくる風力を導流して単一方向とし、風力運転装置のファンを固定して単一方向の運転を可能とし、こうして運転効率を高め、実施時には、各直立フレーム柱１１、１２、１３、１４外縁上に集風板を増設することで、取り込む風量を拡大し、風力運転装置のファンがより大きな運転トルクを生じられるようにする。【選択図】図１
2011247254.tif 000002
【特許請求の範囲】
【請求項１】
導流式無風向性垂直風力装置は、風力発電機上に設置する風力装置からなり、
該風力装置上方には、数個の直立フレーム柱を設置し、
該数個の直立フレーム柱中央には、該風力発電機主軸位置に対応し、複数の弧状ブレードを含む垂直式弧状回転ブレードを設置し、
該各直立フレーム柱の内の一つの内縁上には、内側へと傾斜した弧状導流板を設置し、
該直立フレーム柱上方には、上フレーム強化体を固定したことを特徴とする導流式無風向性垂直風力装置。
【請求項２】
前記上フレーム強化体は、不通気性密閉式フレーム体、或いは通気性開孔式フレーム体であることを特徴とする請求項１に記載の導流式無風向性垂直風力装置。
【請求項３】
前記各直立フレーム柱は、実施時には、その外縁上に、直立式集風板を増設することができ、
これにより、該垂直式弧状回転ブレードの運転を増進し、風力発電性能を向上させることができることを特徴とする請求項１に記載の導流式無風向性垂直風力装置。
【発明の詳細な説明】
【技術分野】
【０００１】
本発明は導流式無風向性垂直風力装置に関し、特に風力発電機に使用する風力運転装置で、構造体をより強化し、風力エネルギーをより高い効率で風力発電機の機械エネルギーに転換することができ、風力発電機上方には直立フレーム柱を設置し、直立フレーム柱中央には垂直式弧状回転ブレードを設置し、各直立フレーム柱の内の一つの内縁上には内側へと傾斜した弧状導流板を設置し、各直立フレーム柱外縁上には集風板を増設し、風向の制限がなく、導風と集風の効果を備えた垂直ファンの風力装置で、これにより風力発電効果を高めることができる導流式無風向性垂直風力装置に関する。
【背景技術】
【０００２】
人類は森林の破壊を続け、エネルギーを過度に開発し、あまりにも多くの二酸化炭素を排出している。
そのため、地球は今正に深刻な温室効果に直面しており、北極の融冰等有史以来の危機が迫っている。
しかも、その状況は悪化の一途を辿っているため、いかにして地球を守っていくかは、世界各国の環境保護団体、或いは地球の生態に関心を寄せる人々にとって、議論の焦点である。
【０００３】
石炭或いは石油化学製品に代わって、太陽光、風力、地熱或いは潮の満ち引きなどの天然のエネルギーを、経済/実用的なエネルギーに転化すれば、環境保護効果が最も高い代替エネルギーとなる。
しかし、太陽光、地熱及び潮の満ち引きのエネルギー転換に必要な装置及び設備の製造コストは非常に高く、構造は複雑で、メンテナンスが容易でない等の原因があるため、そのコストパフォーマンスは低く、よって今のところ幅広い応用には至っていない。
【０００４】
そんな中、風力を電力エネルギーに転換する方式は、設備コストが比較的低く、構造が簡単で、メンテナンスも比較的容易であるため、各国で利用が広がっている。
しかし、風力発電には、その最大の問題、風が安定しないという欠点がある。
すなわち、大気の地表上或いは海面上での、気流の持続性、時速、乱気流、瞬間的強風等条件が、風力発電性能を支配する主要素である。
つまり、風速が遅過ぎれば、従来の風力発電機のファンを回すことはできず、反対に風速が速過ぎる、或いは強過ぎる際には、高く聳える風力発電設備には、倒壊の危険が及ぶ。
【０００５】
そのため、従来の風力発電機の受風ファンは、安全に対する考慮から、受風ファンの各ブレード幅を狭く、形状を扁平にしている。
しかし、このような幅が狭いブレードは、流動する風を効果的に大量に受取り、発電機が必要とする動力に転換することができない。
すなわち、従来の風力発電機の風力装置にはなお、非常に大きな改善の余地がある。
本発明は、従来の風力装置の上記した欠点に鑑みてなされたものである。
【発明の概要】
【発明が解決しようとする課題】
【０００６】
本発明が解決しようとする課題は、従来の風力発電機の風力装置に存在する問題を克服することができる導流式無風向性垂直風力装置を提供することである。
【課題を解決するための手段】
【０００７】
上記課題を解決するため、本発明は下記の導流式無風向性垂直風力装置を提供する。
導流式無風向性垂直風力装置は、風力発電機上に設置する風力運転装置に大幅な改変を加え、風力発電機上方には、直立フレーム柱を設置し、
該直立フレーム柱中央には、垂直式弧状回転ブレードを設置し、
該各直立フレーム柱の内の一つの内縁上には、内側へと傾斜した弧状導流板を設置し、これにより良好な効果を発揮する風力装置を提供し、
実施時には、該各直立フレーム柱外縁上に、集風板を増設し、これにより風向の制限をなくし、集風と導流特性を拡大し、こうしてファンの運転と風力発電の性能をより向上させることができる。
【発明の効果】
【０００８】
本発明の導流式無風向性垂直風力装置は、風向の制限をなくし、集風と導流特性を拡大することができ、こうしてファンの運転と風力発電の性能をより向上させることができる。
【図面の簡単な説明】
【０００９】
【図１】本発明の立体図である。
【図２】本発明上フレーム体の分解立体図である。
【図３】本発明の俯瞰図である。
【図４】本発明に集風板を増設した実施例の立体図である。
【図５】本発明の上フレーム体を分解し、集風板を増設した実施例の立体図である。
【図６】本発明に集風板を増設した実施例の俯瞰図である。
【発明を実施するための形態】
【００１０】
以下に図面を参照しながら本発明を実施するための最良の形態について詳細に説明する。
【実施例】
【００１１】
図１、２に示すように、本発明導流式無風向性垂直風力装置は、風力発電機１上に設置する風力装置からなる。
【００１２】
該風力装置は、該風力発電機１上方に、数個の直立フレーム柱１１、１２、１３、１４を設置する。
【００１３】
該数個の直立フレーム柱１１、１２、１３、１４中央は、該風力発電機１主軸位置に対応し、複数の弧状ブレードにより組成する垂直式弧状回転ブレード１５を設置する。
【００１４】
該各直立フレーム柱１１、１２、１３、１４の内の一つの内縁上には、内側へと傾斜した弧状導流板１１１、１２１、１３１、１４１を設置し、該直立フレーム柱１１、１２、１３、１４上方には、上フレーム強化体１６を固定する。
【００１５】
該上フレーム強化体１６は、不通気性密閉式フレーム体、或いは通気性開孔式フレーム体である。
【００１６】
図３に示すように、本発明風力装置は、風がどんな方向から吹いてきても、該弧状導流板１１１、１２１、１３１、１４１及び該垂直式弧状回転ブレード１５の弧状面作用により、該弧状回転ブレード１５を押し、同一方向へと回転させることができる。
【００１７】
こうして、該風力発電機１主軸の運転を駆動し、しかもその拡大した垂直式弧状回転ブレード１５の受風面により、気流の大部分の運動エネルギーは受け止められて運用される。
【００１８】
図４〜６に示すように、本発明の実施時には、該各直立フレーム柱１１、１２、１３、１４外縁上に、直立式集風板１１２、１２２、１３２、１４２を増設することができ、これにより入風口付近の気流は、効果的に集められ、導入される。
【００１９】
こうして、該垂直式弧状回転ブレード１５への推動を拡大することができるため、その集風機能は、該垂直式弧状回転ブレード１５の運転を増進し、風力発電性能を向上させることができる。
【００２０】
上記の本発明名称と内容は、本発明技術内容の説明に用いたのみで、本発明を限定するものではない。本発明の精神に基づく等価応用或いは部品(構造)の転換、置換、数量の増減はすべて、本発明の保護範囲に含むものとする。
【産業上の利用可能性】
【００２１】
本発明は特許の要件である新規性を備え、従来の同類製品に比べ十分な進歩を有し、実用性が高く、社会のニーズに合致しており、産業上の利用価値は非常に大きい。
【符号の説明】
【００２２】
１      風力発電機
１１、１２、１３、１４  直立フレーム柱
１５    垂直式弧状回転ブレード
１１１、１２１、１３１、１４１  弧状導流板
１６    上フレーム強化体
１１２、１２２、１３２、１４２  直立式集風板
【図１】
2011247254.tif 000003
【図２】
2011247254.tif 000004
【図３】
2011247254.tif 000005
【図４】
2011247254.tif 000006
【図５】
2011247254.tif 000007
【図６】
2011247254.tif 000008